(57)【要約】【課題】カメラボディのグランド用接点を確実に接地して、静電気の放電による故障などを防ぐ。【解決手段】レンズユニット４は、カメラボディ３のボディ側マウント部１１に着脱自在である。ボディ側マウント部１１は、ベース部５８、バヨネット爪１２ａ〜ｃ、マウントバリア１４、ボディ側グランド接点６１、支持部材６２、グランド接続部材６３、付勢バネ１５を備えている。マウントバリア１４は、ボディ側グランド接点６１が取り付けられ、ベース部５８の開口５８ａを塞ぐ塞ぎ位置と、この塞ぎ位置から後退する退避位置の間で移動自在である。グランド接続部材６３は、メイン基板７５のグランドパターンに接続されている。付勢バネ１５は、ボディ側グランド接点６１及びグランド接続部材６３と常に摺動する。マウントバリア１４が退避位置となったときボディ側グランド接点６１及びグランド接続部材６３が接触する。【選択図】図９
2007288359.tif 000002
【特許請求の範囲】
【請求項１】
撮影光学系、撮像素子、及び内蔵される各種電気部品のグランドと接続されたレンズ側グランド接点を備えたレンズユニットと、このレンズユニットが着脱自在に装着されるボディ側マウント部、このボディ側マウント部に前記レンズユニットが装着されたとき、電気信号の授受を行う電気信号接点、前記ボディ側マウント部の内部を塞いで前記電気信号接点を覆い隠す塞ぎ位置と、この塞ぎ位置から後退し、前記電気信号接点を露呈させる退避位置との間で移動自在に取り付けられたマウントバリア、前記マウントバリアの表面に設けられ、レンズユニットの装着時に前記レンズ側グランド接点と当接するボディ側グランド接点、及び前記マウントバリアを前記塞ぎ位置に付勢する付勢バネを備え、前記レンズユニットの装着時には、前記付勢バネの付勢に抗して前記マウントバリアが前記退避位置に移動し、前記電気信号接点が露呈してレンズユニットと電気的に接続されるカメラボディとを有するデジタルカメラにおいて、
前記ボディ側マウント部には、前記カメラボディに内蔵される各種電気部品のグランドと接続されたグランド部材が固定されており、前記付勢バネは、前記ボディ側グランド接点及び前記グランド部材と常に摺動することを特徴とするデジタルカメラ。
【請求項２】
前記付勢バネは、螺旋状に形成されたコイルバネであり、前記ボディ側グランド接点及び前記グランド部材には、前記付勢バネを複数箇所で支持する支持部と、前記付勢バネの前面及び背面にそれぞれ当接する当接部とを備えていることを特徴とする請求項１記載のデジタルカメラ。
【請求項３】
前記レンズユニットの装着時、前記マウントバリアが前記退避位置に移動すると、前記ボディ側グランド接点と前記グランド部材とが接触することを特徴とする請求項１記載のデジタルカメラ。
【請求項４】
前記グランド部材及び前記ボディ側グランド接点は、前記付勢バネと摺動する摺動部がそれぞれ複数設けられていることを特徴とする請求項１又は２記載のデジタルカメラ。
【請求項５】
前記付勢部材は、複数設けられており、前記マウントバリアの中心を対称軸とする略回転対称な位置に、略均等な角度間隔で設けられていることを特徴とする請求項１ないし３いずれか記載のデジタルカメラ。
【発明の詳細な説明】
【技術分野】
【０００１】
本発明は、レンズユニットをカメラボディに装着可能なデジタルカメラに関するものである。
【背景技術】
【０００２】
各種撮影レンズがカメラボディに着脱可能に装着されるレンズ交換型のカメラが従来より知られており、最近では、撮像素子の低価格化、画素数の増加が進んできていることから、従来の銀塩フイルム用のレンズ交換型カメラに代わって、レンズ交換型のデジタルカメラが普及してきている。このレンズ交換型のデジタルカメラでは、撮影レンズで結像した被写体像をＣＣＤなどの撮像素子で画像データに変換し、内蔵メモリやメモリカードなどの記録媒体に記録する。
【０００３】
このレンズ交換型のデジタルカメラでは、銀塩フイルム用の既存システムを流用したものではなく、レンズ交換型のデジタルカメラの新しい構成として、撮像素子を交換用のレンズユニットに組み込むことが検討されている。撮像素子をレンズユニットに内蔵することで、レンズユニットとカメラボディとを光学的に接続する必要がなくなり、レンズユニットの電気信号接点とカメラボディの電気信号接点とを接触して電気的に接続させるだけでよいため、構造を比較的簡易にすることができる。
【０００４】
上述した撮像素子をレンズユニットに組み込んだデジタルカメラは、例えば特許文献１〜３に記載されており、これらのデジタルカメラのカメラボディには、交換用のレンズユニットを着脱自在に装着するマウント部と、このマウント部の開口を塞いで電気信号接点を覆い隠すマウントバリアと、このマウントバリアを付勢するバネとをカメラボディに備えている。これによって、レンズユニットの装着時には、マウントバリアが後退して電気信号接点が露呈し、レンズユニットの非装着時には、バネの付勢によって、電気信号接点を覆い隠す塞ぎ位置に復帰する。
【０００５】
ところで、ＣＣＤなどの撮像素子を内蔵するレンズユニットには、各種電気部品や電気信号の接点を実装するための回路基板が内蔵される。よって、カメラボディへのレンズユニットの装着時に静電気が放電して、回路基板の破壊、故障が発生する可能性があり、これらを防ぐため、レンズユニットのグランドをカメラボディ側のメイン基板のグランドパターンに接地させる構成を有していることが一般的である。そこで、上記特許文献１〜３のデジタルカメラでは、例えば、内蔵された回路基板のグランドパターンと接続したグランド用接点をレンズユニットに設けるとともに、カメラボディには、メイン基板に形成したグランドパターンとマウント部の板金部分とを接続し、さらにこのマウント部の板金部分と接続されるグランド用接点を上述したマウントバリアの表面に設けている。これによって、レンズユニットをカメラボディのマウント部に結合したとき、互いのグランド用接点が接触し、レンズユニットの回路基板は、グランド用接点からマウント部の板金部分を介してメイン基板のグランドパターンに接続されるため、アース（接地）を取ることができる。
【特許文献１】特開平８−１７１１３０号公報
【特許文献２】特開２００１−１７７０２３号公報
【特許文献３】特開２００１−３０８５６９号公報
【特許文献４】特開２００１−３０８５６９号公報
【発明の開示】
【発明が解決しようとする課題】
【０００６】
しかしながら、上記特許文献のような構成とした場合、マウントバリアは、塞ぎ位置と退避位置の間で移動自在に取り付けられており、レンズユニットの装着時にはマウントバリアが押し込まれてマウント部の板金部分とマウントバリアのグランド用接点が接触するが、レンズユニットの非装着時には、マウントバリアと、マウント部の板金部分とが離れ、マウントバリアのグランド用接点は浮いた状態（接地されていない状態）となってしまう。よって、非装着状態から装着状態となるまでの移動中は、マウントバリアは浮いた状態であり、このときに静電気が発生する可能性があるから、放電による故障などを防ぐことができない。また、マウントバリアを付勢するバネも浮いた状態であり、接地させることが考慮されていなかった。
【０００７】
本発明は上記事情を考慮してなされたものであり、カメラボディのグランド用接点を確実に接地して、静電気の放電による故障などを防ぐことができるデジタルカメラを提供することを目的とする。
【課題を解決するための手段】
【０００８】
本発明のデジタルカメラでは、撮影光学系、撮像素子、及び内蔵される各種電気部品のグランドと接続されたレンズ側グランド接点を備えたレンズユニットと、このレンズユニットが着脱自在に装着されるボディ側マウント部、このボディ側マウント部に前記レンズユニットが装着されたとき、電気信号の授受を行う電気信号接点、前記ボディ側マウント部の内部を塞いで前記電気信号接点を覆い隠す塞ぎ位置と、この塞ぎ位置から後退し、前記電気信号接点を露呈させる退避位置との間で移動自在に取り付けられたマウントバリア、前記マウントバリアの表面に設けられ、レンズユニットの装着時に前記レンズ側グランド接点と当接するボディ側グランド接点、及び前記マウントバリアを前記塞ぎ位置に付勢する付勢バネを備え、前記レンズユニットの装着時には、前記付勢バネの付勢に抗して前記マウントバリアが前記退避位置に移動し、前記電気信号接点が露呈してレンズユニットと電気的に接続されるカメラボディとを有するデジタルカメラにおいて、前記ボディ側マウント部には、前記カメラボディに内蔵される各種電気部品のグランドと接続されたグランド部材が固定されており、前記付勢バネは、前記ボディ側グランド接点及び前記グランド部材と常に摺動することを特徴とする。なお、前記付勢バネは、螺旋状に形成されたコイルバネであり、前記ボディ側グランド接点及び前記グランド部材には、前記付勢バネを複数箇所で支持する支持部と、前記付勢バネの前面及び背面にそれぞれ当接する当接部とを備えていることが好ましい。
【０００９】
また、前記レンズユニットの装着時、前記マウントバリアが前記退避位置に移動すると、前記ボディ側グランド接点と前記グランド部材とが接触することが好ましい。さらにまた、前記グランド部材及び前記ボディ側グランド接点は、前記付勢バネと摺動する摺動部がそれぞれ複数設けられていることが好ましい。なお、前記付勢部材は、複数設けられており、前記マウントバリアの中心を対称軸とする略回転対称な位置に、略均等な角度間隔で設けられていることも効果的である。
【発明の効果】
【００１０】
本発明のデジタルカメラでは、カメラボディに内蔵される各種電気部品のグランドと接続されたグランド部材がボディ側マウント部に固定されており、付勢バネがボディ側グランド接点及びグランド部材と常に摺動しているので、レンズユニットの装着時及び非装着時におけるカメラボディ側のグランド用接点を確実に接地して、静電気の放電を防止して故障や破損などを防ぐことができる
【発明を実施するための最良の形態】
【００１１】
以下、図面を参照して本発明の第１の実施形態を適用したデジタルカメラについて説明する。図１及び図２に示すように、デジタルカメラ２は、カメラボディ３とレンズユニット４とから構成される。カメラボディ３にはレンズユニット４が着脱自在であり、装着時にはカメラボディ３とレンズユニット４とが電気的に接続される。なお、図１は、レンズユニット４をカメラボディ３に装着した状態を、図２は、レンズユニット４を取り外した状態を示す。
【００１２】
レンズユニット４には、レンズ側マウント部８が設けられており、このレンズ側マウント部８には、３個のレンズ側バヨネット爪９ａ〜ｃが一体に設けられる。
【００１３】
カメラボディ３の前面には、ボディ側マウント部１１が設けられている。ボディ側マウント部１１には、レンズ側バヨネット爪９ａ〜ｃに対応したバヨネット爪１２ａ〜ｃが一体に形成されており、さらに、ボディ側マウント部１１の内側には、コイルバネ１５（図５参照）によって前方に付勢されたマウントバリア１４が設けられており、レンズユニット非装着時におけるカメラボディ３内部への塵埃の侵入を防止する。
【００１４】
また、ボディ側マウント部１１の近傍には、ロック解除ボタン１６が設けられている。ロック解除ボタン１６は、レンズユニット４を取り外す際に操作されるものであり、押圧操作することによってレンズユニット４のロックを解除することができる。
【００１５】
カメラボディ３の上面には、撮影時に押圧操作されるレリーズボタン１８と、撮影／再生モードなどの切替え時に操作されるモード操作部１９などが設けられている。また、カメラボディ３の前面には、ストロボ２２が設けられている。なお、背面には、ＬＣＤ２０（図８参照）、電源スイッチ２３（図８参照）などが設けられている。
【００１６】
レンズユニット４は、図３に示すように、鏡胴部６及びレンズ側マウント部８からなる。鏡胴部６は、その内部に撮影レンズ２４（図２参照）及びＣＣＤ（撮像素子）２５、及びこのＣＣＤ２５を駆動させるための駆動回路などが設けられた撮像素子実装基板２６（図８参照）などが組み込まれている。この撮像素子実装基板２６は、後述する接点基板３０と図示しないフレキシブル基板などによって電気的に接続されている。
【００１７】
レンズ側マウント部８は、詳しくは図３に示すように、マウント本体２９、接点基板３０、スペーサ３１、押え板３２、止めネジ３３、及び接続部材３５などからなる。マウント本体２９は、鏡胴部６の後端部と一体に設けられている。このマウント本体２９は、ベース部３６と、このベース部３６の略中央に位置する円筒部３７と、円筒部３７の外周から突出するバヨネット爪９ａ〜ｃとが一体に設けられている。なお、本実施形態においては、レンズ側マウント部８に３個のバヨネット爪を設けているが、本発明はこれに限るものではなく、バヨネット爪の個数は２個あるいは４個でもよい。また、バヨネット爪９ａ〜ｃのうち、１つのバヨネット爪９ａには、その一端部に抜け止め突起部９ｄが一体に形成されている。
【００１８】
ベース部３６は、略円盤型の板状に形成されており、係合穴（図示せず）が形成されている。この係合穴は、レンズユニット４のカメラボディ３への装着時にロックピン６２と係合する。バヨネット爪９ａ〜ｃは、円筒部３７の外周面から突出するように配されており、円筒部３７の後端面からバヨネット爪９ａ〜ｃへと連続して切り欠かれた開口部３８が形成されている。開口部３８は、円筒部３７の外形よりも一回り小さい円形状のまわりからバヨネット爪９ａ〜ｃに合わせた３つの扇形状が突出する形状となっている。また、開口部３８の内部には、３つのネジ穴３９が形成されている。
【００１９】
接点基板３０は、図３に示すように、マウント本体２９の開口部３８に合わせた形状となっており、後述するように開口部３８に嵌め込まれ、マウント本体２９に固定される。この接点基板３０は、中央の円盤部４１と、この円盤部４１から突出する突出部４２ａ〜ｃからなる。突出部４２ａ〜ｃは、バヨネット爪９ａ〜ｃにそれぞれ嵌め込まれる。この突出部４２ａ〜ｃには、電気信号接点としての接点群４５ａ〜ｃがそれぞれ実装されている。また、接点基板３０には、ネジ穴４６が形成されている。接点群４５ａ〜ｃは、接点基板３０に実装された複数（本実施形態では８個）の接点からなり、レンズユニット４をカメラボディ３に装着させるときの回転方向Ａに沿って並列に配置されている。なお、接点の位置及び個数はこれらに限らず、適宜変更してもよい。
【００２０】
さらに接点基板３０には、ネジ穴４６の周囲にグランドパターン４７が形成されている。なお、図３においては、１つのネジ穴４６の周囲にグランドパターン４７が形成されているが、これに限らず、全てのネジ穴４６の周囲に形成していてもよい。このグランドパターン４７は、接点基板３０に実装される電子部品及び撮像素子実装基板２６のグランドと接続されており、レンズユニット４に内蔵される全ての電子部品のグランドと接続されている。
【００２１】
スペーサ３１は、後述する押え板３２及び接点基板３０とともにマウント本体２９に固定される。このスペーサ３１は、接点基板３０と押え板３２との間に挟まれて組み込まれ、接点基板３０の円盤部４１に合わせた外周の略円盤状に形成されている。また、スペーサ３１には、接点基板３０のネジ穴４６に合わせたネジ穴４８が形成されている。
【００２２】
さらにスペーサ３１には、取付溝４９が形成されている。取付溝４９は、接点基板３０のグランドパターン４７に合わせた位置に形成されており、接続部材３５が通過可能な幅に形成されている。接続部材３５は、コの字状に形成された薄板の金属部材であり、取付溝４９から挿入し、スペーサ３１のネジ穴４８付近を挟み込むようにして取り付けることができる。また、この接続部材３５は、止めネジ３３が通過される貫通穴３５ａが形成されている。スペーサ３１に取り付けられた接続部材３５は、その一端部３５ｂが接点基板３０のグランドパターン４７に接触し、他端３５ｃが押え板３２に接触する。これによって、レンズユニット４では、接点基板３０のグランドパターン４７が押え板３２に接地した状態となっている。
【００２３】
押え板（レンズ側グランド接点）３２は、スペーサ３１に合わせた大きさの薄板状に形成されており、ネジ穴５６が形成されている。レンズ側マウント部８は、接点基板３０、接続部材３５を取り付けた状態のスペーサ３１を、マウント本体２９及び押え板３２の間に挟み込み、ネジ穴３９、４６、４８、５６に止めネジ３３を螺合させて共締めすることによって組み立てられる。
【００２４】
ボディ側マウント部１１は、詳しくは図４及び図５に示す構成となっており、ベース部５８と、このベース部５８と一体に形成されたバヨネット爪１２ａ〜ｃと、マウントバリア１４と、このマウントバリア１４に固定されたボディ側グランド接点６１と、べース部５８の背面側に配された支持部材６２と、この支持部材６２に固定されたグランド接続部材６３と、付勢バネ１５とを備えている。なお、図４においては、図面の煩雑化を防ぐため、マウントバリア１４を後退した状態で図示しているが、通常時は、マウントバリア１４がベース部５８の開口部５８ａを塞ぐように位置し、内部が露呈しないようになっている。また、図４においては、マウント部１２の内側を表すためにバヨネット爪１２ｃの一部を切り欠いて図示している。
【００２５】
ベース部５８は、略中央に開口部５８ａが配された略円環状に形成されており、カメラボディ３の外装カバー３ａにネジ止めなどによって固定されている。バヨネット爪１２ａ〜ｃは、ベース部５８の開口部５８ａから内側へ突出するように配されている。また、ベース部５８には、ロックピン６２が設けられている。ロックピン６２は、ベース部５８に形成されたガイド穴５８ｂから出没自在に設けられおり、レンズユニット４がボディ側マウント部１１に装着されたときに、レンズ側マウント部８に形成された係合穴に係合してレンズユニット４の装着をロック状態にする。
【００２６】
支持部材６２は、レンズ側マウント部８の外形に合わせた形状であり、レンズユニット４が装着されたとき、レンズ側マウント部８の外周から支持する。さらに、支持部材６２は、詳しくは、図５に示すように、端子基板６６ａ〜ｃが一体に設けられている。この支持部材６２は、略円筒形で後端側が底板６７で塞がれた形状に形成されている。底板６７の略中央部には、グランド接続部材６３を固定するための開口部６７ａ〜ｃが形成さあれている。端子基板６６ａ〜ｃは、支持部材６２の内周面に配されており、電気信号接点としての端子群６８ａ〜ｃがそれぞれ実装されている。端子群６８ａ〜ｃは、それぞれバヨネット爪１２ａ〜ｃの位置に合わせて配されており、ボディ側マウント部１１を正面を見たとき、バヨネット爪１２ａ〜ｃに重なって隠れるように設けられている。
【００２７】
マウントバリア１４は、ベース部５８の開口部５８ａに合わせて円形の外周からバヨネット爪１２ａ〜ｃの形状に合わせて切り欠かれた形状に形成されている。このマウントバリア１４は、支持部材６２の内部に位置し、ベース５８の開口を塞ぎ、内部の端子群６８ａ〜ｃを覆い隠す塞ぎ位置と、この塞ぎ位置から後退し、端子群６８ａ〜ｃを露呈させる退避位置との間で移動自在となっている。
【００２８】
ボディ側グランド接点６１は、詳しくは図８に示すように、レンズユニット４の装着時に押え板（レンズ側グランド接点）３２と接触する円盤状の接点部７１と、この接点部７１の外周から後方へ突出する突出片７２ａ〜ｃとが一体に形成されている。突出片７２ａ〜ｃは、接点部７１に対して約１２０°の略均等な角度間隔で回転対称な位置に配されている。この突出片７２ａ〜ｃは、内側へ段差のある階段状に形成されており、マウントバリア１４の開口部１４ａ〜ｃへ前方から挿入され、突出片７２ａ〜ｃの先端部７３ａ〜ｃが開口部１４ａ〜ｃを貫通する。これによって、接点部７１がマウントバリア１４の前面から、突出片７２ａ〜ｃがマウントバリア１４の後面から挟み込むようにして、マウントバリア１４にボディ側グランド接点６１が固定される。さらにマウントバリア１４に固定されたとき突出片７２ａ〜ｃの先端部７３は、後方へ突出する。これらの突出片７２ａ〜ｃの先端部７３は、付勢バネ１５の内周に寸法を合わせて配されている。
【００２９】
グランド接続部材６３は、詳しくは図７に示すように、後方へ突出する接続片７６ａ〜ｃと、前方へ突出する突出片７７ａ〜ｃとが形成されており、これらはそれぞれ約１２０°の略均等な角度間隔で配されている。接続片７６ａ〜ｃは、支持部材６２の開口部６７ａ〜ｃへ前方から挿入され、底板６７を貫通し、接続片７６ａ〜ｃの先端部が支持部材６２の後方へ突出する。これによって、ボディ側マウント部１１の背面側に位置するメイン基板７５と対面する位置に接続片７６ａ〜ｃが配されるため、グランド接続部材６３とメイン基板７５とを、例えばハンダ付けによって接続したり、フレキシブル基板を介するなどして電気的な接続を容易に行うことができる。グランド接続部材６３の支持部材６２への固定は、接続片７６ａ〜ｃによる挟み込みで行ってもよいし、接着剤、ネジ止めなどによる固着でもよい。なお、メイン基板７５は、接続片７６ａ〜ｃと接続されるグランドパターンが形成されているとともに、カメラボディ３に内蔵される電子部品の多くが実装され、これら電子部品のグランドとメイン基板７５のグランドパターンとが接続されている。
【００３０】
突出片７７ａ〜ｃはそれぞれの先端部７９が前方へ突出する略階段状に形成されており、上述したボディ側グランド接点６１の突出部７２ａ〜ｃと対面する位置に形成されている。この突出片７７ａ〜ｃは、これらの先端部７９が付勢バネ１５の外周に位置を合わせている。
【００３１】
付勢バネ１５は、本実施形態においては、マウントバリア１４よりも一回り外径の小さいコイルバネが使用されており、マウントバリア１４と支持部材６２との間に挟まれて組み込まれる。これによって、マウントバリア１４は、付勢バネ１５によって、上述した塞ぎ位置に向かって付勢される。
【００３２】
上述したようにボディ側グランド接点６１の突出片７２ａ〜ｃと、グランド接続部材６３の突出片７７ａ〜ｃとは、付勢バネ６２に寸法を合わせて配されており、これらによって付勢バネ６２を支持する。よって、マウントバリア１４の変位に応じて付勢バネ１５の状態が変化しても突出片７２ａ〜ｃ及び突出片７７ａ〜ｃは常に付勢バネ１５と摺動する。さらに突出片７２ａ〜ｃ及び突出片７７ａ〜ｃは互いに対面する位置に配されていることから、マウントバリア１４が退避位置に後退したときには、これらが直接接触する。
【００３３】
図８にカメラシステム２の電気的構成を示す。撮影レンズ２４の後方には、ＣＣＤ２５が配置されており、ＣＣＤ２５の前方には、シャッタ機構や、絞り機構（図示せず）などが配置されている。
【００３４】
ＣＣＤ２５は、ＣＣＤドライバ８３に接続されており、ＣＣＤドライバ８３を介してレンズユニット用システム制御部８１（以下、システム制御部８１）によって駆動を制御される。ＣＣＤ２５は、光学的な被写体画像を電気的な撮像信号に変換して出力する。撮像信号はアンプ８４で適当なレベルに増幅された後、Ａ／Ｄ変換回路８５によってデジタル変換されて画像データとなる。この画像データは、シリアルドライバ８６を介してカメラボディ３側へと送信される。システム制御部８１では、カメラ本体用システム制御部９５（以下、システム制御部９５）からの指令に基づいてレンズユニット４側の撮影処理を管制している。
【００３５】
レンズユニット４からの画像データは、シリアルドライバ８７を介してメモリ８８に書き込まれる。信号処理部８９は、メモリ８８から画像データを読み出し、階調変換、ホワイトバランス補正、γ補正等の各種画像処理を施す。画像処理が施された画像データはＬＣＤドライバ８０へ入力され、ＬＣＤ２０に画像として表示される。撮影された画像はＬＣＤ２０にスルー画として表示される。モード操作部１９を操作して再生モードに設定すると、記録メディア９３に記録した画像をＬＣＤ２０に表示したり、撮影設定条件をＬＣＤ２０に表示することができる。
【００３６】
レリーズボタン１２が押圧操作されたときには、メディアコントローラ９２の制御によって、画像処理が施された画像データが記録メディア９３に記録される。また、レリーズボタン１８が押圧操作されると、撮影環境からの光量に応じてストロボ２２が駆動される。システム制御部９５は、システム制御部８１に指令を送るとともに、カメラ本体側の撮影処理、画像表示処理、記録処理等を管制している。システム制御部９５には、レリーズボタン１８、モード操作部１９、電源スイッチ２３が接続されている。
【００３７】
また、カメラボディ３にはバッテリ９６が配置され、カメラボディ３の各部に電力を供給している。さらにまた、レンズユニット４はサブバッテリ８７を備えており、接点９ａ〜ｃ、接続端子１３ａ〜ｃを介してカメラボディ３側のメインバッテリ８６と、レンズユニット４側のサブバッテリ８７とが接続され、メインバッテリ８６からサブバッテリ８７に電力が供給され、さらにサブバッテリ８７からレンズユニット４の各部に電力が供給される。
【００３８】
上記構成の作用について以下に説明する。レンズユニット３の非装着時、マウントバリア１４は、付勢バネ１５の付勢によって塞ぎ位置となっている（図９に示す状態）。この状態では、上述したように付勢バネ１５が、突出片７２ａ〜ｃ及び突出片７７ａ〜ｃに摺動していることから、ボディ側グランド接点６１は、付勢バネ１５を介してグランド接続部材６３と電気的に接続されている。
【００３９】
先ず、レンズユニット４をカメラボディ３に接続させるときには、レンズ側バヨネット爪９ａ〜ｃを、ボディ側マウント部１１の開口部５８ａの位置に合わせて挿入する。レンズユニット４からの押圧を受けたマウントバリア１４は、付勢バネ１５の付勢に抗して後退する。このマウントバリア１４が塞ぎ位置から後方の退避位置への移動中も、付勢バネ１５が、突出片７２ａ〜ｃ及び突出片７７ａ〜ｃに摺動しているため、ボディ側グランド接点６１は、付勢バネ１５を介してグランド接続部材６３と電気的に接続されている。そして、このレンズユニット４の装着動作を行うとき、レンズ側グランド接点としての押え板３２がマウントバリア１４のボディ側グランド接点６１に接触しているため、接点基板３０のグランドパターン４７は、接続部材３５、及び押え板３２を介してマウント蓋１４と電気的に接続される。よって、接点基板３０のグランドパターン４７は、接続部材３５、押え板３２、ボディ側グランド接点６１、付勢バネ１５、グランド接続部材６３を介して、カメラボディ３のメイン基板７５に接地されることになるため、レンズユニット４に内蔵される電子部品または接点基板３０が静電気に帯電しているときなどでも、押え板（レンズ側グランド接点）３２とボディ側グランド接点６１との接触から余計な電気をカメラボディ３へ流すことができるから、レンズユニット４の装着時における静電気による放電の発生を防ぎ、部品の破壊、故障を抑制することができる。さらに、レンズ側マウント部８のベース部３６と、ボディ側マウント部１１のベース部５８が接触するまで挿入させると、マウントバリア１４が退避位置に到達する。そして、この状態のまま、レンズユニット４を反時計方向（回転方向Ａ）に所定角度回転させると、レンズ側バヨネット爪９ａ〜ｃとボディ側バヨネット爪１２ａ〜ｃとが互いに噛み合うとともに、接点群４５ａ〜ｃと端子群６５ａ〜６５ｃとが接触状態となり、電気信号の授受が可能となる（図１０に示す状態）。さらに、ロックピン６２がベース部３６の係合穴に係合してロック状態となりレンズユニット４がカメラボディ３に装着される。レンズユニット４からの押圧を受けてマウントバリア１４が退避位置となっているとき、突出片７２ａ〜ｃと突出片７７ａ〜ｃとが直接接触するため、ボディ側グランド接点６１とグランド接続部材６３との電気的接続がさらに確実となる。レンズユニット４が装着状態となった後、ユーザーはモード操作部１９を操作して撮影モードを選択して撮影動作を行うことができる。
【００４０】
一方、デジタルカメラ２の使用後、レンズユニット４をカメラボディ３から取り外すときには、先ず、ロック解除ボタン１６を押圧してロックピン６２による係合を解除してから、レンズユニット４を装着時とは逆の時計方向に所定角度回転させると、レンズ側バヨネット爪９ａ〜ｃとボディ側バヨネット爪１２ａ〜ｃとの噛み合いが解除され、ボディ側マウント部１１からレンズユニット４が離脱可能な状態となる。そして、ボディ側バヨネット爪１２ａ〜ｃの間からレンズユニット４を離脱させると、レンズユニット４は非装着状態となる。このようにレンズユニット４を非装着状態とする際、マウントバリア１４が退避位置から塞ぎ位置への移動途中のときも上述のように付勢バネ１５を介してマウントバリア１４とグランド接続部材６３とが電気的に接続されている。
【００４１】
このように、レンズユニット４が非装着状態、及び装着状態のとき、さらに非装着状態から装着状態への途中のときも、ボディ側マウント接点６１及びグランド接続部材６３は、付勢バネ１５と常に摺動して電気的に接続されているため、静電気による放電の発生を常に防ぐことができ、部品の破壊、故障を防ぐことができる。
【００４２】
上記実施形態においては、マウントバリアと支持部材との間を接続する付勢バネを１つだけ備えた構成としているが、これに限るものではなく、複数の付勢バネを使用する構成としてもよい。図１１〜１３には、マウントバリアと支持部材との間を接続する付勢バネを複数備えた構成の一例を示す。なお、図１１〜１３においては、上記実施形態と同様の部品及び部材を用いているものについては、同符号を付して説明を省略する。この例に示すカメラボディ１００の場合、３個の付勢バネ１０１〜１０３を使用しており、これらの付勢バネ１０１〜１０３は、上記実施形態の付勢バネ１５よりも直径が小さいものを使用している。そして、カメラボディ１００のボディ側マウント部１０５は、ベース部５８と、バヨネット爪１２ａ〜ｃと、マウントバリア１４と、このマウントバリア１４に固定されたボディ側グランド接点１１１と、支持部材６２と、この支持部材６２に固定されたグランド接続部材１１２と、付勢バネ１０１〜１０３とを備えている。ボディ側グランド接点１１１及びグランド接続部材１１２は、突出片１１３ａ〜ｃ及び突出片１１４ａ〜ｃをそれぞれ有しており、これら突出片１１３ａ〜ｃ及び突出片１１４ａ〜ｃによって付勢バネ１０１〜１０３をそれぞれ前後から支持する。これによって、付勢バネ１０１〜１０３は、それぞれ突出片１１３ａ〜ｃ及び突出片１１４ａ〜ｃと常に摺動した状態となり、電気的な接続を保つことができる。なお、突出片１１３ａ〜ｃ及び突出片１１４ａ〜ｃの先端部１１６及び１１７（図１２及び１３参照）は、付勢バネ１０１〜１０３の内部に挿入される。これら突出片１１３ａ〜ｃ及び突出片１１４ａ〜ｃの先端部１１６及び１１７は、上記実施形態よりも前後に長く突出するように形成しているため、付勢バネ１０１〜１０３を支持しやすくなっている。また、グランド接続部材１１２は、上記実施形態と同様に接続片７７ａ〜ｃを介してメイン基板７５に接続されている。
【００４３】
このような構成とすることで、付勢バネ１０１〜１０３は、レンズユニット４が非装着状態、及び装着状態のとき、さらに非装着状態から装着状態への途中のときも、ボディ側マウント接点１１１及びグランド接続部材１１２は、付勢バネ１０１〜１０３と常に摺動して電気的に接続されているため、静電気による放電の発生を常に防ぐことができ、部品の破壊、故障を防ぐことができる。また、複数の付勢バネ１０１〜１０３を用いることでマウントバリア１４の移動がスムーズとなり、装着動作を容易にすることができる。
【００４４】
上記実施形態では、レンズユニットが着脱自在なレンズ交換式のデジタルカメラを用いて説明を行ったが、これに限らず、カメラボディとマウント部によって接続を行ない、そのマウント部に設けた接点及び接続端子を介して電気信号の送受信を行う付属機器であれば良く、例えば、カメラボディ側に保存されたデータを取り込み、内部に組み込まれたハードディスクなどに記憶させる記憶装置や、無線でデータを送受信し、そのデータをカメラボディ側に保存したり、またカメラボディ側のデータを別の電子機器に送ったりする無線ユニットや、レンズユニットとカメラボディとの間に挟まれて固定される中間アダプタを備えたデジタルカメラなどにも本発明を適用することができる。さらには、デジタルカメラ以外のカメラ、例えば、ビデオカメラにおいても本発明を適用することができる。
【図面の簡単な説明】
【００４５】
【図１】本発明を実施したデジタルカメラでレンズユニットを装着状態としたときの外観斜視図である。
【図２】レンズユニットを取り外した状態のデジタルカメラの外観斜視図である。
【図３】レンズユニットの分解斜視図である。
【図４】ボディ側マウント部の斜視図である。
【図５】ボディ側マウント部の構成を示す分解斜視図である。
【図６】ボディ側グランド用接点の構成を示す斜視図である。
【図７】グランド接続部材の構成を示す斜視図である。
【図８】デジタルカメラの電気的構成を示すブロック図である。
【図９】デジタルカメラのレンズユニット装着前状態を示す要部断面図である。
【図１０】デジタルカメラのレンズユニット装着状態を示す要部断面図である。
【図１１】第２の実施形態を実施したボディ側マウント部の構成を示す分解斜視図である。
【図１２】第２の実施形態のデジタルカメラのレンズユニット装着前状態を示すを示す要部断面図である。
【図１３】第２の実施形態のデジタルカメラのレンズユニット装着状態の構成を示す分解斜視図である。
【符号の説明】
【００４６】
２  デジタルカメラ
３、１００  カメラボディ
４  レンズユニット
８  レンズ側マウント部
１０、１０５  ボディ側マウント部
１２ａ〜ｃ  ボディ側バヨネット爪
１４  マウントバリア
１５、１０１、１０２、１０３  付勢バネ
６１、１１１  ボディ側グランド接点
６３、１１２  グランド接続部材
【図１】
2007288359.tif 000003
【図２】
2007288359.tif 000004
【図３】
2007288359.tif 000005
【図４】
2007288359.tif 000006
【図５】
2007288359.tif 000007
【図６】
2007288359.tif 000008
【図７】
2007288359.tif 000009
【図８】
2007288359.tif 000010
【図９】
2007288359.tif 000011
【図１０】
2007288359.tif 000012
【図１１】
2007288359.tif 000013
【図１２】
2007288359.tif 000014
【図１３】
2007288359.tif 000015